【手続補正書】
【提出日】平成18年10月17日(2006.10.17)
【手続補正１】
【補正対象書類名】特許請求の範囲
【補正対象項目名】全文
【補正方法】変更
【補正の内容】
【特許請求の範囲】
【請求項１】
ビデオデータと、
メニュー用のデータと、
ビデオデータの再生経路情報を格納する管理情報と
ビデオデータの再生経路情報を制御するシナリオとを備え、
前記シナリオは、ビデオデータの再生中にメニュー用のデータの再生を実行するメニューコールがなされた場合に、ビデオデータの再生を制御する属性情報を含み、
前記属性情報は、レジュームフラグを含み、
レジュームフラグは、
メニューコール実行時においてメニュー用のデータを再生した後、ビデオデータの再生をレジュームするか否かを示す
ことを特徴とする記録媒体。
【請求項２】
前記レジュームフラグによるレジュームを実行するか否かの設定は、
シナリオと、再生経路情報との組合せから構成される、タイトル毎になされる
ことを特徴とする請求項１記載の記録媒体。
【請求項３】
属性情報は更に、ビデオデータ再生時におけるメニューコールをマスクするか否かを示すマスクフラグを含む
ことを特徴とする請求項１記載の記録媒体。
【請求項４】
前記マスクフラグによるマスクを実行するか否かの設定は、
シナリオと、再生経路情報との組合せから構成される、タイトル毎になされる
ことを特徴とする請求項３記載の記録媒体。
【請求項５】
レジュームフラグは、メニューコールをマスクしない旨をマスクフラグが示している場合、有効になる
ことを特徴とする請求項３記載の記録媒体。
【請求項６】
前記再生をレジュームするか否かとは、
メニューコール実行時の再生位置から再生するか否かを示す、請求項１記載の記録媒体。
【請求項７】
シナリオに従って、記録媒体に記録されたビデオデータを再生する再生装置であって、
シナリオに示される制御手順を解読するモジュールと、
モジュールによる解読に従い、ビデオデータを再生する再生手段と、
ビデオデータの再生中に、ユーザ操作を受け付ける受付手段とを備え、
前記記録媒体は、メニュー用のデータと、
ビデオデータの再生経路情報を格納する管理情報と
ビデオデータの再生経路情報を制御するシナリオとを備え、
前記シナリオは、ビデオデータの再生中にメニュー用のデータの再生を実行するメニューコールがなされた場合に、ビデオデータの再生を制御する属性情報を含み、
前記属性情報は、レジュームフラグを含み、
レジュームフラグがオンである場合、前記再生手段は、メニューコール時においてメニュー用データを再生した後、ビデオデータの再生のレジュームを行い、レジュームフラグがオフである場合、前記再生手段は、メニュー用データを再生したとしても、ビデオデータの再生のレジュームを行わない
ことを特徴とする再生装置。
【請求項８】
前記再生手段は、
レジュームを実行するか否かの制御を、シナリオと、再生経路情報との組合せから構成されるタイトル毎に実行する
ことを特徴とする請求項７記載の再生装置。
【請求項９】
前記属性情報は、マスクフラグを含み、
前記受付手段は、マスクフラグがオンを示している場合、ビデオデータ再生中のユーザによるメニューコール要求をマスクし、マスクフラグがオフを示している場合、ビデオデータ再生中のユーザによるメニューコール要求をマスクしない
ことを特徴とする請求項７記載の再生装置。
【請求項１０】
前記受付手段は、
マスクを実行するか否かの制御を、シナリオと、再生経路情報との組合せから構成される、タイトル毎に実行する
ことを特徴とする請求項９記載の再生装置。
【請求項１１】
前記再生手段によるメニュー用データの再生は、
マスクフラグがオフを示しており、尚且つ、ユーザによりメニューコールが要求された場合になされる
ことを特徴とする請求項９記載の再生装置。
【請求項１２】
前記再生をレジュームするか否かとは、
メニューコール実行時の再生位置から再生するか否かを示す、請求項７記載の再生装置。
【請求項１３】
記録媒体の記録方法であって、
アプリケーションデータを作成するステップと、
作成したデータを記録媒体に記録するステップとを有し、
前記アプリケーションデータは、
ビデオデータと、
メニュー用のデータと、
ビデオデータの再生経路情報を格納する管理情報と
ビデオデータの再生経路情報を制御するシナリオとを備え、
前記シナリオは、ビデオデータの再生中にメニュー用のデータの再生を実行するメニューコールがなされた場合に、ビデオデータの再生を制御する属性情報を含み、
前記属性情報は、レジュームフラグを含み、
レジュームフラグは、
メニューコール実行時においてメニュー用のデータを再生した後、ビデオデータの再生をレジュームするか否かを示す
ことを特徴とする記録方法。
【請求項１４】
シナリオに従って、記録媒体に記録されたビデオデータを再生する制御を、再生装置内で実行する集積回路であって、
シナリオに示される制御手順を解読するモジュールと、
モジュールによる解読に従い、ビデオデータを再生する再生手段と、
ビデオデータの再生中に、ユーザ操作を受け付ける受付手段とを備え、
前記記録媒体は、メニュー用のデータと、
ビデオデータの再生経路情報を格納する管理情報と
ビデオデータの再生経路情報を制御するシナリオとを備え、
前記シナリオは、ビデオデータの再生中にメニュー用のデータの再生を実行するメニューコールがなされた場合に、ビデオデータの再生を制御する属性情報を含み、
前記属性情報は、レジュームフラグを含み、
レジュームフラグがオンである場合、前記再生手段は、メニューコール時においてメニュー用データを再生した後、ビデオデータの再生のレジュームを行い、レジュームフラグがオフである場合、前記再生手段は、メニュー用データを再生したとしても、ビデオデータの再生のレジュームを行わない
ことを特徴とする集積回路。
【請求項１５】
シナリオに従って、記録媒体に記録されたビデオデータを再生する処理をコンピュータに実行させるプログラムであって、
シナリオに示される制御手順の解読、
解読に従ったビデオデータの再生、
ビデオデータ再生中における、ユーザ操作の受け付けをコンピュータに行わせ、
前記記録媒体は、メニュー用のデータと、
ビデオデータの再生経路情報を格納する管理情報と
ビデオデータの再生経路情報を制御するシナリオとを備え、
前記シナリオは、ビデオデータの再生中にメニュー用のデータの再生を実行するメニューコールがなされた場合に、ビデオデータの再生を制御する属性情報を含み、
前記属性情報は、レジュームフラグを含み、
レジュームフラグがオンである場合、前記ビデオデータの再生は、メニューコール時においてメニュー用データを再生した後、ビデオデータの再生のレジュームを行い、レジュームフラグがオフである場合、前記ビデオデータの再生は、メニュー用データを再生したとしても、ビデオデータの再生のレジュームを行わない
ことを特徴とするプログラム。
【請求項１６】
シナリオに従って、記録媒体に記録されたビデオデータを再生する再生方法であって、
シナリオに示される制御手順の解読、
解読に従ったビデオデータの再生、
ビデオデータ再生中における、ユーザ操作の受け付けを行い、
前記記録媒体は、メニュー用のデータと、
ビデオデータの再生経路情報を格納する管理情報と
ビデオデータの再生経路情報を制御するシナリオとを備え、
前記シナリオは、ビデオデータの再生中にメニュー用のデータの再生を実行するメニューコールがなされた場合に、ビデオデータの再生を制御する属性情報を含み、
前記属性情報は、レジュームフラグを含み、
レジュームフラグがオンである場合、前記ビデオデータの再生は、メニューコール時においてメニュー用データを再生した後、ビデオデータの再生のレジュームを行い、レジュームフラグがオフである場合、前記ビデオデータの再生は、メニュー用データを再生したとしても、ビデオデータの再生のレジュームを行わない
ことを特徴とする再生方法。
【手続補正２】
【補正対象書類名】明細書
【補正対象項目名】発明の名称
【補正方法】変更
【補正の内容】
【発明の名称】記録媒体、再生装置、記録方法、集積回路、再生方法、プログラム
【手続補正３】
【補正対象書類名】明細書
【補正対象項目名】０００８
【補正方法】変更
【補正の内容】
【０００８】
上記目的を達成するため、本発明にかかる記録媒体は、ビデオデータと、メニュー用のデータと、ビデオデータの再生経路情報を格納する管理情報とビデオデータの再生経路情報を制御するシナリオとを備え、前記シナリオは、ビデオデータの再生中にメニュー用のデータの再生を実行するメニューコールがなされた場合に、ビデオデータの再生を制御する属性情報を含み、前記属性情報は、レジュームフラグを含み、レジュームフラグは、メニューコール実行時においてメニュー用のデータを再生した後、ビデオデータの再生をレジュームするか否かを示すことを特徴としている。